(57)【要約】【課題】簡易な構成で２次電池とダミーバッテリ型ＡＣアダプタを識別可能な２次電池付き画像記録装置の充電池識別装置を提供する。【解決手段】画像記録装置の充電池識別装置は、２次電池を装着可能である。２次電池は、自己の温度状態を出力する温度検出端子を有する。また、２次電池の装着箇所に排他的にダミーバッテリが装着可能である。画像記録装置は、接続コネクタと充電手段と制御手段とを備える。充電手段は、接続コネクタからの電力を制御して２次電池への充電制御を行う。制御手段は、充電手段と画像処理動作を制御する。温度検出端子は、２次電池においてサーミスタに接続される。サーミスタは、一方の端子が接地された正または負の温度係数を有する。制御手段は、プルアップ電圧が抵抗体を介して温度検出端子に印加されると、温度検出端子の電圧を検出する。電圧を検出することにより、ダミーバッテリが装着されているか否かを判断する。【選択図】図２
2014093186.tif 000002
【特許請求の範囲】
【請求項１】
自己の温度状態を出力する温度検出端子を有する２次電池と、
前記２次電池の装着箇所に排他的に装着可能なダミーバッテリとを装着可能とする画像記録装置であって、
前記２次電池を充電する電源が接続される接続コネクタと、
前記接続コネクタからの電力を制御して前記２次電池への充電制御を行う充電手段と、
前記充電手段と画像処理動作を制御する制御手段とを備え、
前記温度検出端子は、前記２次電池において一方の端子が接地された正または負の温度係数を有するサーミスタに接続されていて、
前記制御手段は、プルアップ電圧が抵抗体を介して前記温度検出端子に印加されると前記温度検出端子の電圧を検出して、前記ダミーバッテリが装着されているか否かを判断することを特徴とする画像記録装置の充電池識別装置。
【請求項２】
前記温度検出端子の接続先を前記充電手段と前記制御手段とに切替える接続切替手段をさらに備え、
前記充電手段は、前記プルアップ電圧が抵抗体を介して前記温度検出端子に印加されるとき前記温度検出端子の電圧を検出して、前記２次電池の温度を判断する機能を有し、
前記制御手段は、前記２次電池への充電を実行するときには前記接続切替手段で前記温度検出端子を前記充電手段に接続し、前記画像処理動作を実行するときには前記接続切替手段で前記温度検出端子を前記制御手段に接続することを特徴とする請求項１に記載の画像記録装置の充電池識別装置。
【請求項３】
前記制御手段は、前記接続コネクタが前記電源に接続されると、前記接続切替手段で前記温度検出端子を前記充電手段に接続し、
前記充電手段は、前記２次電池の温度が所定の温度範囲であると判断したときは、充電を実行し、前記２次電池の温度が所定の温度範囲外であると判断したときは、温度範囲外であることを前記制御手段に通知し、
前記制御手段は、温度範囲外の通知を受けたときには前記接続切替手段で前記温度検出端子を前記制御手段に接続して前記ダミーバッテリが装着されているか否かを判断することを特徴とする請求項２に記載の画像記録装置の充電池識別装置。
【請求項４】
前記制御手段および前記充電手段は、各々異なるプルアップ電圧が、異なる抵抗体を介して前記温度検出端子に印加されることにより、前記温度検出端子の電圧を検出することを特徴とする請求項２〜３に記載の画像記録装置の充電池識別装置。
【請求項５】
前記ダミーバッテリの温度検出端子はＧＮＤ電位に設定されていることを特徴とする請求項１〜４に記載の画像記録装置の充電池識別装置。
【請求項６】
前記接続コネクタはＵＳＢ規格を満足し、
前記充電手段は、ＶＢＵＳ端子から入力された電圧を用いて前記２次電池への充電を行うことを特徴とする請求項１〜５に記載の画像記録装置の充電池識別装置。
【請求項７】
前記制御手段は、前記接続コネクタの接続先情報を取得して、前記接続先情報に応じて前記充電手段の充電能力を設定することを特徴とする請求項６に記載の画像記録装置の充電池識別装置。
【請求項８】
自己の温度状態を出力する温度検出端子を有する２次電池の装着箇所にダミーバッテリを排他的に装着可能とする画像記録装置の充電池識別方法であって、
前記２次電池を充電する電源を接続コネクタへ接続させるステップと、
前記接続コネクタからの電力を制御して前記２次電池への充電制御を行うステップと、
画像処理動作を制御するステップと、
前記２次電池において一方の端子が接地された正または負の温度係数を有するサーミスタに接続されている前記温度検出端子に、抵抗体を介したプルアップ電圧を接続させるステップと、
前記温度検出端子の電圧を検出して、前記ダミーバッテリが装着されているか否かを判断するステップと、を備えることを特徴とする画像記録装置の充電池識別方法。
【発明の詳細な説明】
【技術分野】
【０００１】
本発明は、充電池識別装置およびその方法に関し、より詳しくは２次充電池を備えた画像記録装置の充電池識別装置とその識別方法に関する。
【背景技術】
【０００２】
従来、２次電池を内蔵したデジタルスチルカメラやデジタルビデオカメラ等の画像記録装置が知られている（特許文献１）。この画像記録装置における２次電池は、例えば、リチウムイオン電池などで構成され、ＵＳＢ端子を介したカメラ内部での充電機能を持っている。また、２次電池を使用しない場合には、ＡＣアダプタから電源を直接供給しつつ動作させることが出来る構成となっている。
【先行技術文献】
【特許文献】
【０００３】
【特許文献１】特開２００６−１４７０６１号公報
【発明の概要】
【発明が解決しようとする課題】
【０００４】
しかし、従来のＵＳＢ充電機能をもつ画像記録装置は２次電池の充電に特化していた。例えば、充電用ＵＳＢケーブルをつないだ状態でＡＣアダプタを接続する際には、別のＤＣジャックが必要となり、コネクタが２つになる点で取り回しが悪い構成であった。そのため、代替的に、電池室にダミーバッテリを挿入し、ダミーバッテリを介して直接給電する方法があるが、挿入されたバッテリが内部充電可能な電池であるのか、ＡＣアダプタであるのかの判断が必要となり、構成が複雑になる問題があった。
【０００５】
そこで、本発明は、ＵＳＢポートを用いた内部充電機能を備えたデジタルスチルカメラにおいて、充電される２次電池とダミーバッテリ型ＡＣアダプタとを１つの電池室で共用でき、かつ、簡易な構成で２次電池とダミーバッテリ型ＡＣアダプタを識別可能な画像記録装置を提供することを目的としている。
【課題を解決するための手段】
【０００６】
本発明に係る画像記録装置の充電池識別装置は、自己の温度状態を出力する温度検出端子を有する２次電池と、２次電池の装着箇所に排他的に装着可能なダミーバッテリとを装着可能とする画像記録装置であって、２次電池を充電する電源が接続される接続コネクタと、接続コネクタからの電力を制御して２次電池への充電制御を行う充電手段と、充電手段と画像処理動作を制御する制御手段とを備え、温度検出端子は、２次電池において一方の端子が接地された正または負の温度係数を有するサーミスタに接続されていて、制御手段は、プルアップ電圧が抵抗体を介して温度検出端子に印加されると温度検出端子の電圧を検出して、ダミーバッテリが装着されているか否かを判断することを特徴とする。
【０００７】
また、温度検出端子の接続先を充電手段と制御手段とに切替える接続切替手段をさらに備え、充電手段は、プルアップ電圧が抵抗体を介して温度検出端子に印加されるとき温度検出端子の電圧を検出して、２次電池の温度を判断する機能を有し、制御手段は、２次電池への充電を実行するときには接続切替手段で温度検出端子を充電手段に接続し、画像処理動作を実行するときには接続切替手段で温度検出端子を制御手段に接続することが好ましい。これにより、画像記録装置としての機能と内部充電機能を適切に共存させることが可能となる。
【０００８】
さらに、制御手段は、接続コネクタが電源に接続されると、接続切替手段で温度検出端子を充電手段に接続し、充電手段は、２次電池の温度が所定の温度範囲であると判断したときは、充電を実行し、２次電池の温度が所定の温度範囲外であると判断したときは、温度範囲外であることを制御手段に通知し、制御手段は、温度範囲外の通知を受けたときには接続切替手段で温度検出端子を制御手段に接続してダミーバッテリが装着されているか否かを判断しても良い。切替手段を用いることで、回路構成をより簡易にすることが可能となる。
【０００９】
また、制御手段および充電手段は、各々異なるプルアップ電圧が、異なる抵抗体を介して温度検出端子に印加されていても良い。
【００１０】
なお、ダミーバッテリの温度検出端子はＧＮＤ電位に設定されていることが好ましい。
【００１１】
また、接続コネクタはＵＳＢ規格を満足し、充電手段は、ＶＢＵＳ端子から入力された電圧を用いて２次電池への充電を行うことが好ましい。
【００１２】
好ましくは、制御手段は、接続コネクタの接続先情報を取得して、接続先情報に応じて充電手段の充電能力を設定する。
【００１３】
本発明に係る画像記録装置の充電池識別方法は、自己の温度状態を出力する温度検出端子を有する２次電池の装着箇所にダミーバッテリを排他的に装着可能とする画像記録装置の充電池識別方法であって、２次電池を充電する電源を接続コネクタへ接続させるステップと、接続コネクタからの電力を制御して２次電池への充電制御を行うステップと、画像処理動作を制御するステップと、２次電池において一方の端子が接地された正または負の温度係数を有するサーミスタに接続されている温度検出端子に、抵抗体を介したプルアップ電圧を接続させるステップと、温度検出端子の電圧を検出して、ダミーバッテリが装着されているか否かを判断するステップと、を備えることを特徴とする。
【発明の効果】
【００１４】
本発明によれば、ＵＳＢポートを用いた内部充電機能を備えたデジタルスチルカメラにおいて、充電される２次電池とダミーバッテリ型ＡＣアダプタとを１つの電池室で共用でき、かつ、簡易な構成で２次電池とダミーバッテリ型ＡＣアダプタを識別可能な画像記録装置の充電池識別装置を提供することができる。
【図面の簡単な説明】
【００１５】
【図１】本発明の画像記録装置の全体を表すブロック図である。
【図２】ダミーバッテリを検出するための構成を表すブロック図である。
【図３】ダミーバッテリの検出処理工程を表すフローチャートである。
【図４】図３において高温エラーで充電が停止した場合のダミーバッテリ検出処理フローである。
【図５】（ａ）図１及び図２に示されるサーミスタの温度特性を表すグラフであり、（ｂ）ダミーバッテリが接続されたときのＡＤ値を表すグラフである。
【図６】（ａ）図５（ａ）の高温領域を拡大したグラフであり、（ｂ）図５（ｂ）の高温領域を拡大したグラフである。
【発明を実施するための形態】
【００１６】
以下、本発明の一実施形態について図面を参照して説明する。図１は、画像記録装置の全体の構成を表すブロック図である。同図において、本実施形態の画像記録装置は、一例として、携帯可能なカメラであり、本実施形態における特徴的な構成要素として、カメラを駆動するバッテリ１２６とバッテリ１２６から各ユニットが必要とする電圧を生成する電源ユニット１２５と、バッテリ１２６を充電するバッテリ充電回路（充電手段）１２７と、バッテリ充電回路１２７の充電電流供給先としてＵＳＢコネクタ１２２に接続するＡＣアダプタ１２９（若しくは、パーソナルコンピュータのプリンタ等のＵＳＢ  ＢＵＳ１３０）と、ＵＳＢの接続状態を検出するＵＳＢ接続検出回路１３１と、サーミスタ出力切替回路（接続切替手段）１３７とを備える。
【００１７】
また、この他に、本実施形態の画像記録装置は、常設の構成要素として、サブＬＣＤ１、測距ユニット５、リモコン受光部６、鏡胴ユニット７、ＡＦ表示用ＬＥＤ８、ストロボ表示用ＬＥＤ９およびＬＣＤモニタ１０に加えて、光学画像を光電変換するＣＣＤ１０１（撮像素子）、フロントエンド部１０２、ＳＤＲＡＭ１０３、カメラプロセッサ１０４、ＲＡＭ１０７、ＲＯＭ１０８、サブＣＰＵ１０９、操作キーユニットＳＷ１〜１３、サブＬＣＤドライバ１１１、ブザー１１３、ストロボ回路１１４、音声記録ユニット１１５、音声再生ユニット１１６、ＬＣＤドライバ１１７、ビデオアンプ１１８、ビデオコネクタ１１９、内蔵メモリ１２０、メモリカードスロット１２１、ＵＳＢコネクタ１２２およびシリアルインタフェース部１２３を備えている。
【００１８】
以下、図１を参照して、本実施形態に係る画像記録装置の構成要素の機能を説明する。本実施形態の画像記録装置が使用するＵＳＢ規格のコネクタは、４つの出力端子を備えるものとする。その内訳は、電源５Ｖの電源電圧を有するＶＢＵＳラインと、その基準となるＧＮＤラインと、データラインとしてのＤ＋端子と、Ｄ−端子とである。画像記録装置の電力源となり得る２次電池は、ＶＢＵＳ端子から入力された電圧を用いて充電される。
【００１９】
このようなＵＳＢコネクタの構成において、ＵＳＢ接続検出回路１３１は、バッテリ１２６を充電するバッテリ充電回路１２７がＵＳＢコネクタ１２２を介してＡＣアダプタ１２９と接続されたのか、それとも、パーソナルコンピュータのプリンタ等のＵＳＢ  ＢＵＳ１３０と接続されたのかを区別する検出を行う。
【００２０】
鏡胴ユニット７は、被写体の光学画像を取り込むズームレンズ系７−１ａおよびズームモータ７−１ｂを含むズーム光学系７−１、フォーカスレンズ系７−２ａおよびフォーカスモータ７−２ｂを含むフォーカス光学系７−２、絞り７−３ａおよび絞りモータ７−３ｂを含む絞りユニット７−３、メカシャッタ７−４ａおよびメカシャッタモータ７−４ｂを含むメカシャッタユニット７−４、ボイスコイルモータ７−５ｂ並びに各モータを駆動するモータドライバ７−５を有している。
【００２１】
フロントエンド部１０２は、画像ノイズ除去用相関二重サンプリングを行うＣＤＳ１０２−１、自動利得制御部ＡＧＣ１０２−２、Ａ／Ｄ変換部１０２−３およびタイミングジェネレータＧＴ１０２−４を有している。
【００２２】
カメラプロセッサ１０４は、Ｆ／Ｅ−ＩＣ１０２の出力データにホワイトバランス設定やガンマ設定を行い、またＶＤ信号、ＨＤ信号を供給するＣＣＤ１信号処理部録１０４−１、フィルタリング処理により、輝度データ、色相データへの変換を行うＣＣＤ２信号処理ブロック１０４−２、装置各部の動作を制御するＣＰＵブロック１０４−３、前述した制御に必要なデータ等を一時的に保存するローカルＳＲＡＭ１０４−４，パソコン等の外部機器とＵＳＢ通信を行うＵＳＢ通信を行うＵＳＢ処理ブロック１０４−５、外部機器とシリアル通信を行うシリアル処理ブロック１０４−６、ＪＰＥＧ圧縮の伸張を行うＪＰＥＧコーデックブロック１０４−７、画像データのサイズを補間処理により拡大／縮小するリサイズブロック１０４−８、画像データを液晶モニタやＴＶ等の外部表示機器に表示するためのビデオ信号に変換するＴＶ信号表示ブロック１０４−９および撮影された画像データを記録するメモリカードの制御を行うメモリカードコンロローラブロック１０４−１０を有している。操作キーユニットＳＷ１〜１３は図示は省略したが、レリーズボタン、モードダイヤル、ズームボタン、電源スイッチおよび操作キー部を含んでいる。
【００２３】
音声記録ユニット１１５は、音声記録回路１１５−１、マイクアンプ１１５−２およびマイク１１５−３を有しており、音声再生ユニット１１６は、音声再生回路１１６−１、オーディオアンプ１１６−２、スピーカ１１６−３を有している。シリアルインタフェース部１２３は、シリアルドライバ回路１２３−１およびシリアルコネクタ１２３−２を有している。
【００２４】
サブＬＣＤ１、レリーズボタンおよびモードダイヤルは、一般的にカメラボディの上面に配置されている。サブＬＣＤ１は、例えば、撮影可能枚数等を表示するための表示部として用いられる。また、ストロボ発光部３、測距ユニット５、リモコン受光部６、鏡胴ユニット７および光学ファインダの対物面側は、カメラボディの正面側に配置されている。
【００２５】
メモリカード１２４を装填するためのメモリカードスロット１２１は、カメラボディの側面に配設されている。ＡＦ表示用ＬＥＤ８、ストロボ表示用ＬＥＤ９、ＬＣＤモニタ１０、光学ファインダの接眼部側、ズームボタン、電源スイッチおよび操作キー部は、カメラボディの背面側に配置されている。
【００２６】
次に、図１および図２を参照して、デジタルカメラの基本的な動作を説明する。図１および図２において、ストロボ発光部３およびストロボ回路１１４は、被写体における自然光等の光量が足りない場合に光量を補うために用いる。即ち、暗い場所の撮影や被写体が暗い場合の撮影には、カメラプロセッサ１０４からストロボ回路１１４にストロボ発光信号を送信することによって、ストロボ回路１１４は、ストロボ発光部３を発光させて被写体を証明する。測距ユニット５は、カメラ本体と被写体との間の距離、つまり被写体距離を計測する。この種のデジタルカメラにおけるオートフォーカシング（ＡＦ）には、鏡胴ユニット７の光学系によってＣＣＤ１０１に結像された被写体像のコントラスト情報を検出し、最もコントラスト値の高い位置に光学系、即ちフォーカスレンズ７−２ａを移動させてフォーカスを合わせる、いわゆるＣＣＤ−ＡＦ方式が用いられる。しかしながら、このＣＣＤ−ＡＦ方式は、フォーカスレンズ７−２ａを少しずつ移動させつつコントラスト値を求めるため、フォーカシング動作が遅い。そこで、測距ユニット５を用いて、被写体距離情報を常に取得し、被写体距離情報に基づいて、被写体距離近傍に対応する位置までフォーカスレンズ７−２ａを一気に移動させて、フォーカス動作を高速化するようにすることも行われている。
【００２７】
鏡胴ユニット７は、ボイスコイルモータ７−５ｂに駆動されるとともに、被写体の光学像を取り込みＣＣＤ１０１に結像する撮像光学系における焦点距離を変更させるためのズームレンズ７−１ａおよびこのズームレンズ７−１ａを駆動するズームモータ７−１ｂを含むズーム光学系７−１と、撮像光学系における合焦点を移動させるためのフォーカスレンズ７−２ａおよびこのフォーカスレンズ７−２ａを駆動するフォーカスモータ７−２ｂを含むフォーカス光学系７−２と、撮像光学系における開口口径を絞るための絞り７−３ａおよびこの絞り７−３ａを駆動する絞りモータ７−３ｂを含む絞りユニット７−３と、撮像光学系の光路を機械的に開閉するメカニカルシャッタからなるメカシャッタ７−４ａおよびこのメカシャッタ７−４ａを開閉駆動するメカシャッタモータ７−４ｂを含むメカシャッタユニット７−４と、各モータ７−１ｂ〜７−４ｂを駆動するモータドライバ７−５を有している。そして、モータドライバ７−５は、リモコン受光部６からの入力や操作キーユニットＳＷ１〜１３の操作入力に基づく、カメラプロセッサ１０４内のＣＰＵブロック１０４−３からの駆動指令によって駆動制御される。
ＲＯＭ１０８には、ＣＰＵブロック１０４−３にて解読可能なプログラムコードで記述された、制御プログラムや制御するためのパラメータ等が格納されている。操作キーユニットＳＷ１〜１３の電源スイッチの操作によって、このデジタルカメラの電源がオン状態になると、制御プログラムがＣＰＵブロック１０４−３に付随する図示されていないメインメモリにロードされ、ＣＰＵブロック１０４−３は、その制御プログラムに従って装置各部の動作を制御するとともに、制御に必要なデータ等を、一時的に、ＲＡＭ１０７およびカメラプロセッサ１０４内のローカルＳＲＡＭ１０４−４に保存する。
【００２８】
ＲＯＭ１０８を、書き換え可能なフラッシュメモリを用いて構成すれば、制御プログラムや制御するためのパラメータ等を変更することが可能となり、機能のバージョンアップを容易に行うことができる。
ＣＣＤ１０１は、典型的には、ＣＣＤ（電荷結合素子）の撮像素子またはＣＭＯＳ（相補型金属酸化物半導体）撮像素子等の固体撮像素子を用いて構成され、光学像を光電変換して電子的な画像信号に変換する。
フロントエンド部１０２は、ＣＤＳ１０２−１、ＡＧＣ１０２−２、ＡＧＣ１０２−２、Ａ／Ｄ変換部１０２−３およびＴＧ１０２−４を有し、これら各部は、カメラプロセッサ１０４のＣＰＵブロック１０４−３によって制御される。ＣＤＳ１０２−１では、ＣＣＤ１０１より得られた画像信号の相関二重サンプリングを行って画像ノイズを除去し、ＡＧＣ１０２−２では、画像ノイズが除去された画像信号の利得調整を行い、Ａ／Ｄ変換部１０２−３では、利得調整された画像信号をＡ／Ｄ変換（アナログ−デジタル変換）によりデジタル信号に変換して、カメラプロセッサ１０４の第１撮像信号処理ブロック１０４−１に与える。
【００２９】
これらＣＤＳ１０２−１、ＡＧＣ１０２−２、Ａ／Ｄ変換部１０２−３の信号処理動作は、カメラプロセッサ１０４のＣＣＤ１信号処理ブロック１０４−１から出力されるＶＤ・ＨＤ（垂直駆動・水平駆動）信号により、ＴＧ１０２−４を介して制御される。ＴＧ１０２−４は、ＣＣＤ１信号処理ブロック１０４−１をから出力されるＶＤ・ＨＤ信号に応動して、フロントエンド部１０２のＣＤＳ１０２−１、ＡＧＣ１０２−２およびＡ／Ｄ変換部１０２−３に駆動タイミング信号を与えるとともに、ＣＣＤ１０１に駆動タイミング信号を与える。この場合、フロントエンド部１０２は、ＣＤＳ１０２−１、ＡＧＣ１０２−２、Ａ／Ｄ変換部１０２−３およびＴＧ１０２−４を同一ＩＣ（集積回路）チップ上に実装して、フロントエンドＩＣとして構成したものを用いることが望ましいが、個別の回路で構成されても良い。
カメラプロセッサ１０４のＣＣＤ１信号処理ブロック１０４−１は、上述したようにフロントエンド部１０２のＴＧ１０２−４にＶＤ信号およびＨＤ信号を供給するとともに、ＣＣＤ１０１からフロントエンド部１０２を介して与えられたデジタル撮像信号データに対してホワイトバランス調整およびガンマ調整等の信号処理を行う。カメラプロセッサ１０４のＣＣＤ２信号処理ブロック１０４−２は、デジタル撮像信号データに対してフィルタリング処理を施すことによって、現ＲＧＢ（ＲＡＷ−ＲＧＢ）データから輝度および色差データ、即ちＹＵＶ（ＹＣｂＣｒ）データ、等への変換を行う。
【００３０】
デジタルスチルカメラプロセッサ（以下、単に「プロセッサ」ということがある）１０４のＣＰＵブロック１０４−３は、当該カメラ内各部の動作を適正に制御する。カメラプロセッサ１０４のローカルＳＲＡＭ１０４−４は、上述したように、ＣＰＵブロック１０４−３による制御に必要なデータ等を、一時的に保存する。
さらに、カメラプロセッサ１０４において、ＵＳＢ処理ブロック１０４−５は、ＵＳＢ規格に従ってＰＣ（パーソナルコンピュータ）等の外部機器と接続し、外部機器との間で通信を行うためのＵＳＢ信号処理を行う。シリアルブロック１０４−６は、ＲＳ−２３２Ｃ等のシリアル通信規格に従ってＰＣ等の外部機器と接続し、外部機器との間で通信を行うためのシリアル信号処理を行う。ＪＰＥＧコーデックブロック１０４−７は、画像データに対するＪＰＥＧ圧縮／伸張を行う。リサイズブロック１０４−８は、外挿／内挿等の補間処理により画像データのサイズを拡大／縮小する。ビデオ信号表示ブロック１０４−９は、画像データをＬＣＤモニタ１０やＴＶ等の外部表示機器に表示するためのビデオ信号に変換し、メモリカードコントローラブロック１０４−１０は、メモリカード１２４（ＬＡＮカード、無線ＬＡＮカード、ブルートゥースカード等）に、撮影された撮影画像データを記録し、メモリカード１２４に記録された撮像画像データを再生するためのメモリカード１２４の書き込み／読出し制御を行う。
【００３１】
ＳＤＲＡＭ１０３は、カメラプロセッサ１０４において画像データに各種処理を施す際に、画像データを一時的に保存するために用いられる。保存される画像データは、例えば、ＣＣＤ１０１からフロントエンド部１０２を介して取り込んだ画像データに、ＣＣＤ１信号処理ブロック１０４−１にてホワイトバランス調整およびガンマ調整が行われた状態の原ＲＧＢ画像データ（ＲＡＷ−ＲＧＢ画像データ）や、同様にして取り込んだ画像データがＣＣＤ２信号処理ブロック１０４−２にて輝度データ（Ｙ）と色差データ［Ｕ（Ｃｂ），Ｖ（Ｃｒ）］に変換された状態のＹＵＶ（ＹＣｂＣｒ）画像データや、ＪＰＥＧコーデックブロック１０４−７にて、ＪＰＥＧ圧縮エンコードされたＪＰＥＧ画像データなどである。
メモリカードスロット１２１は、撮影した画像データを記憶するためのメモリカード１２４を着脱可能に装填するためのコネクタスロットであり、このメモリカードスロット１２１に装填されたメモリカード１２４の書き込み／読み出し制御は、メモリカードスロット１２１を介してメモリカードコントローラブロック１０４−１０によって行われる。内蔵メモリ１２０は、撮影した画像データを記憶するためのメモリであり、メモリカードスロット１２１にメモリカード１２４が装着されていない場合であっても、撮影した画像データを記録することができるようにするために設けられている。
【００３２】
ＬＣＤドライバ１１７は、ＬＣＤモニタ１０を駆動するドライブ回路であり、ビデオ信号表示ブロック１０４−９から出力されたビデオ信号を、ＬＣＤモニタ１０に表示するための信号に変換する機能をも有している。ＬＣＤモニタ１０は、撮影前に被写体の状態を監視するための画像表示、撮影した画像を確認するための撮像画像表示、そして、メモリカード１２４や内蔵メモリ１２０に記録された画像データの表示、などを行うためのモニタである。
ビデオアンプ１１８は、ビデオ信号表示ブロック１０４−９から出力されたビデオ信号を、７５Ωインピーダンス出力にインピーダンス変換する。ビデオコネクタ１１９は、ビデオアンプ１１８の７５Ωインピーダンス出力をＴＶ等の外部表示機器に接続するためのコネクタである。
ＵＳＢコネクタ１２２は、ＰＣ等の外部機器との間をＵＳＢ接続するためのコネクタである。シリアルドライバ回路１２３−１およびシリアルコネクタ１２３−２を備えるシリアルインタフェース部１２３は、標準化されたシリアル通信規格、例えばＲＳ−２１２Ｃ規格等、に従ってＰＣ等の外部機器との間でシリアル通信を行うためのインタフェースを構成している。シリアルドライバ回路１２３−１は、シリアル処理ブロック１０４−６の出力信号を電圧変換する回路であり、ＲＳ−２３２Ｃコネクタ１２３−２は、シリアルドライバ回路１２３−１で電圧変換されたシリアル出力をＰＣ等の外部機器に接続するためのコネクタである。
【００３３】
サブＣＰＵ１０９は、例えば同一チップ上にＲＯＭ・ＲＡＭを内蔵したマイクロプロセッサ等のＣＰＵであり、操作キーユニットＳＷ１〜１３やリモコン受光部６等の出力信号をユーザーの操作情報として、カメラプロセッサ１０４のＣＰＵブロック１０４−３に与えたり、ＣＰＵブロック１０４−３から出力されるカメラの状態情報に基づいて、サブＬＣＤ１、ＡＦ表示用ＬＥＤ８、ストロボ表示用ＬＥＤ９とを、他の表示用途、例えば、メモリカード１２４のアクセス中を示す表示に使用するなどしても良い。
操作キーユニットＳＷ１〜１３は、ユーザーが操作する操作キー、操作スイッチおよび操作ボタン等であり、この場合、レリーズボタン、撮影／再生切り換えダイヤル、ズームボタン、電源スイッチおよび操作キー部等を含んでいる。リモコン受光部６は、ユーザーが操作するリモコン送信機（図示せず）からの赤外線のような光信号を受信する。
【００３４】
音声記録ユニット１１５は、マイク１１５−３により、ユーザーが音声信号を入力し、マイク１１５−３に入力された音声信号をマイクアンプ１１５−２で増幅し、マイクアンプ１１５−２で増幅された音声信号を音声記録回路１１５−１で記録する。また、音声再生ユニット１１６は、記録された音声信号を、音声再生回路１１６−１により、スピーカから出力再生するために信号に変換し、音声再生回路１１６−１で変換された音声信号をオーディオアンプ１１６−２により増幅して、オーディオアンプ１１６−２で増幅された信号により、スピーカ１１６−３を駆動して音声信号を出力する。
なお、さらに、ブルートゥース［Bluetooth（登録商標）］回路（図示は省略）を設けて、ブルートゥース［Bluetooth（登録商標）］規格による無線通信を介して接続される、いわゆるブルートゥース［Bluetooth（登録商標）］機器への接続を行うようにしても良い。あるいは、ブルートゥース［Bluetooth（登録商標）］回路がない場合には、メモリカードスロット１２１にブルートゥース［Bluetooth（登録商標）］規格のインタフェース機能を有するブルートゥース［Bluetooth（登録商標）］カードを装填することによっても、他のブルートゥース［Bluetooth（登録商標）］機器と接続し通信することができる。イーサーネットによるＬＡＮ（ローカルエリアネットワーク）への接続は、イーサーネット接続回路（図示せず）または無線イーサーネット接続回路（図示せず）によって行うことができる。あるいは、これらのイーサーネット回路が無い場合は、ＬＡＮカードまたは無線ＬＡＮカードを、メモリカードスロット１２１に装填して、ＬＡＮカードまたは無線ＬＡＮカードを介してネットワークへ接続することが可能となる。
【００３５】
以下、本発明の画像記録装置に特徴的な回路要素について説明する。図２は、本発明の一実施形態に係る画像記録装置の一部を構成するサーミスタ出力の切替回路１３７および充電回路１２７を中心とした回路構成を示す回路図である。以下に詳述するように、バッテリ識別部（充電池識別装置）２００では、共有電池室１４０に挿入された電池が、ダミーバッテリ１４２であるか２次電池１２６であるかを識別する。
【００３６】
図２を参照すると、バッテリ識別部２００は、ダミーバッテリ１４２または２次電池１２６を挿入するための共有電池室１４０を有する。共有電池室１４０からの出力電流に基づいて、温度検出回路１４８は、挿入された電池の温度を検出する。温度検出回路１４８は、充電回路１２７に設けられる。また、充電回路１２７は、電力供給コネクタ１４３から供給される電力を制御して充電制御を行う。
【００３７】
切替回路１３７は、スイッチ切替信号を出力する。スイッチ切替信号の出力は、温度検出回路１４８からの出力に基づいて、メインＣＰＵ１０４−３（制御手段）に制御される。アナログスイッチ１４４は、切替回路１３７からの制御信号に基づいて配線の接続を切り替える。アナログスイッチ１４４によって、温度検出端子Ｔは、充電回路１２７またはメインＣＰＵ１０４−３へ、選択的に接続される。
【００３８】
２次電池１２６は、温度によってその抵抗値が変化するサーミスタ１３６を有する。また、共有電池室１４０、ダミーバッテリ１４２及び２次電池１２６には、高電圧側のプラス端子、接地側のマイナス端子、サーミスタ１３６の温度検出端子Ｔが設けられる。高電圧側のプラス端子は、充電時は２次電池の充電端子として用いられ、非充電時はシステム電源への電源供給の端子として用いられる。温度検出端子Ｔは、プルアップ抵抗Ｒ１を介して充電回路１２７へ接続され、また、プルアップ抵抗Ｒ２を介してメインＣＰＵ１０４−３へ接続される。プルアップ抵抗Ｒ１とＲ２とは例えば異なるプルアップ電圧が印加される。なお、図中の電圧値Ｖ１〜Ｖ３の大小関係は、Ｖ３が最も大きく、Ｖ２が最も小さく、Ｖ１はＶ２とＶ３との間の値である。
【００３９】
共有電池室１４０にダミーバッテリ１４２または２次電池１２６が挿入されると、共有電池室１４０における３つの端子と、ダミーバッテリ１４２の３つの端子、または２次電池１２６の３つの端子とが各々接触する。各々の端子が接触するとともに、充電回路１２７の先に設けられた電力供給コネクタ（接続コネクタ）１４３と電圧源（図示せず）とが接続されると、メインＣＰＵ１０４−３は、切替回路１３７によりスイッチ１４４の他端を、端子ｐ２に接続する。これにより、共有電池室１４０に挿入された電池の充電が開始される。また、接続と同時にサーミスタ１３６の端子間に電圧が印加され、温度検出端子Ｔから端子ｐ１へ電流が流れる。
【００４０】
温度検出端子Ｔから端子ｐ２を介して、充電回路１２７に入力された電流は、オペアンプ１４６によって増幅された後、温度検出ブロック１４８において検出される。後に詳述するが、本実施形態のサーミスタ１３６は、温度が高くなるにつれ抵抗値が低くなる。すなわち、高温になるにつれサーミスタ１３６の抵抗値は低くなるとともに、温度検出ブロック１４８への入力電流は大きくなる。つまり、温度検出ブロック１４８電流値が大きいとき、電池は高温であると判断される。したがって、温度検出ブロック１４８に入力される電流を測定することで、サーミスタ１３６の温度を間接的に検出することができる。
【００４１】
温度検出ブロック１４８において検出された温度が高温であるとき、充電に異常が発生したと判断される。すると、Ｉ２Ｃ通信１５０は、メインＣＰＵ１０４−３へ充電エラーを通知する。充電エラーが通知されたメインＣＰＵ１０４−３は、スイッチ１４４の接触を端子ｐ３に切替える。すなわち、温度検出端子ＴはメインＣＰＵ１０４−３へ接続される。メインＣＰＵ１０４−３に備えられたＡＤ変換部１５４において、サーミスタ１３６の電流利得であるＡＤ値を検出する。後に詳述するように、検出されたＡＤ値によってバッテリの種類を識別することが可能である。
【００４２】
図３を参照して、共有電池室１４０に挿入されたバッテリの種類を識別する方法を詳細に説明する。通常時のカメラの動作の概要は右上のフローチャートに示される。ステップＳ１０１においてカメラの電源が入れられると、ステップＳ１０３においてシステムが起動する。ステップＳ１０５において、挿入されたバッテリがダミーバッテリ１４２であるか否かが検出された後、ステップＳ１０７で通常のカメラ動作が実施される。
【００４３】
図３の中央に示されるフロー図は、右上のフローチャートに充電中のエラーの有無を検出する動作が追加されたフロー図である。すなわち、ステップＳ２０９で充電エラーの有無を識別し、電池が正常に充電されている場合には、ステップＳ３０１以降の工程を経て充電が継続される。一方、ステップＳ２０９において充電エラーが検出されたときには、ステップＳ４０１で充電を中止した後、充電エラーはダミーバッテリ１４２が挿入されたことに依るものか、または、それ以外の要因に依るものかが判断される。
【００４４】
まず、ステップＳ２０１において、電力供給コネクタ１４３（図２参照）にＵＳＢが接続されると、ステップＳ２０３においてバッテリ充電回路１２７が起動する。ステップＳ２０５において充電端子であるＶＢＵＳ端子が正しく接続されていることが確認されるとともに、充電が開始される。ステップＳ２０７において、バッテリ識別部２００（図２参照）におけるバッテリ識別システムが開始される。
【００４５】
ステップＳ２０９において、充電中にエラーが発生したか否かが判断される。エラーは、上述のように温度検出ブロック１４８（図２参照）において検出される。ステップＳ２０９において、エラーが検出されるとステップＳ４０１に進み、エラーが検出されないときステップＳ３０１に進む。
【００４６】
エラーが検出されないとき、メインＣＰＵ１０４−３は、接続コネクタのＶＢＵＳ端子の接続先情報を取得し、接続先情報に応じて充電回路１２７の充電能力を設定する。ステップＳ３０１において、ＶＢＵＳ端子の接続先が検出される。接続先がＵＳＢＡＣアダプタであるとき、ステップＳ３０３において急速充電モードに設定された後、ステップＳ３０５において、充電が完了したか否かが判断される。充電が完了するとステップＳ３０９において充電が終了されるとともに電源が切られる。充電が完了していないとき、ステップＳ３０７に進み、充電が完了するまで、または、ＵＳＢケーブルが抜かれたとき、ステップＳ３０９において充電が終了されるとともに電源が切られる。
【００４７】
また、ステップＳ３０１において、ＶＢＵＳ端子の接続先がＨＯＳＴ／ＨＵＢであるとき、ステップＳ３１１において低速充電モードに設定される。ステップＳ３１３において、ＰＣとのエニュメレーションが行われた後、ステップＳ３１５において急速充電モードに設定され充電される。ステップＳ３１７において、充電が完了したか否かが判別される。充電が完了するとステップＳ３２１において充電が終了されるとともに電源が切られる。充電が完了していないとき、ステップＳ３１９に進み、充電が完了するまで充電が継続されるか、または、ＵＳＢケーブルが抜かれたとき、ステップＳ３２１において充電が終了されるとともに電源が切られる。
【００４８】
このように、ステップＳ２０９において充電エラーが検出されないときには、ステップＳ３０１からステップＳ３２１の工程を経て、２次電池１２６は充電される。メインＣＰＵ１０４−３は、接続コネクタのＶＢＵＳ端子の接続先情報を取得し、接続先情報に応じて充電回路１２７の充電能力を設定することが可能である。
【００４９】
一方、ステップＳ２０９において充電エラーが検出されると、ステップＳ４０１において充電が中断される。ステップＳ４０３では、バッテリが高温エラー、すなわちバッテリの温度が充電可能な範囲を超えているか否かが判断される。リチウムイオン電池の充電は、一般的に０度より大きく６０度より下のときに行われることが推奨されている。そのため、それ以外の温度範囲では、メインＣＰＵ１０４−３（図２参照）においてエラーと判断されて充電が停止する。高温エラーではないとき、ステップＳ４０５において電源が切られる。高温エラーであるとき、ステップＳ４０７に進み、メインＣＰＵ１０４−３によって、切り替えスイッチ１４４は端子ｐ２から端子ｐ３へ切替えられる。以下に詳述する方法で、共有電池室１４０に挿入されたバッテリが、ダミーバッテリ１４２であるか否かが判断される。
【００５０】
ステップＳ４０９において、充電エラーがダミーバッテリ１４２に依るものではないと判断されると、ステップＳ４１１において電源が切られる。ステップＳ４０９においてダミーバッテリ１４２に依るものであると判断されると、ステップＳ４１３に進む。ステップＳ４１３において、電源ボタンの押下の有無が判断される。電源が押下されないとき、ステップＳ４１５において電源が切られる。電源が押下されるとき、通常のカメラ動作、すなわち、画像処理動作が実行される。またこのとき、ステップＳ４１７において、温度検出端子ＴはメインＣＰＵ１０４−３へ接続されている。
【００５１】
上述のように、ステップＳ４０１からステップＳ４１７の工程により、充電エラーがダミーバッテリ１４２に依るものと判断されるときには、ステップＳ４１７において通常のカメラ動作が実行される。また、充電エラーがダミーバッテリ１４２に依るものでないときには、２次電池１２６の充電に異常が発生しているものと判断されて、電源が切られる。
【００５２】
このような構成によって、ＵＳＢポートを用いた内部充電機能を備えたデジタルスチルカメラにおいて、充電される２次電池１２６とＡＣアダプタに接続されるダミーバッテリ１４２とを１つの電池室１４０で共用でき、かつ、アナログスイッチ１４４を切り替えるだけの簡易な構成で２次電池とダミーバッテリ１４２とを識別することが可能となる。さらに、ダミーバッテリ１４２が挿入されたときには、画像記録装置としての機能を発揮し、２次電池が挿入されたときには内部充電機能を発揮する点で、両機能を適切に共存させることが可能となる。
【００５３】
次に、図４を参照して、図３のステップＳ４０７におけるダミーバッテリ１４２の検出工程の詳細を説明する。ステップＳ４０７では、ステップＳ４０３において、充電エラーの中でも高温で充電が停止した場合、高温の原因がダミーバッテリ１４２を挿入したことに依るものか、または、２次電池１２６内で発生した異常に依るものかを判断することが出来る。
【００５４】
具体的には、ダミーバッテリ１４２は、温度検出端子Ｔが接地されているため、抵抗値は理想的には０である。一方で、サーミスタ１３６の抵抗値は、２次電池の温度が高くなるにつれ低くなる。つまり、抵抗値が低いほど温度検出ブロック１４８に入力される電流は大きくなるが、電流値を検出するだけでは、抵抗値が０であるダミーバッテリ１４２に接続されていることに依るのか、または、高温になったために抵抗値が低下した２次電池に接続されていることに依るものかが判断できない。したがって、図４に示される工程を経て、温度検出ブロック１４８における高温エラーの原因を特定する必要がある。
【００５５】
ステップＳ５０１において、ＶＢＵＳ端子の接続の有無が判断される。ＶＢＵＳ端子が接続されていることが確認されると、ステップＳ６０１に進む。ステップＳ６０１では、温度検出ブロック１４８において検出されたバッテリの温度が６０度以上であるか否かが判断される。バッテリの温度が６０度より高いとき、ステップＳ６０３に進む。
【００５６】
ステップＳ６０３では、切り替え回路１３７（図２参照）によって、アナログスイッチ１４４のスイッチがｐ２からｐ３へ切替えられる。すなわち、サーミスタ１３６の温度検出端子ＴはＡＤ変換部１５４に接続される。次に、ステップＳ６０５では、ＡＤ変換部１５４において、温度検出端子Ｔからの出力電流を用いて、サーミスタ１３６の利得であるＡＤ値が算出される。
【００５７】
ここで、ダミーバッテリ１４２が共有電池室１４０に挿入されているか否かは、サーミスタ１３６の利得の温度特性によって判断される。図５を参照すると、サーミスタ１３６の抵抗値と、ＡＤ値と、温度との相関関係が示されている。
【００５８】
図５（ａ）に示されるように、サーミスタは温度が変化すると共に抵抗値が変化する。本図は一例であるが、サーミスタ１３６の抵抗値は、温度が高くなるにつれ指数関数的に下がる。換言すれば、図５（ｂ）に示されるように、サーミスタ１３６の入出力電流値に対応するＡＤ値は電池の温度に依存する。ＡＤ値は、メインＣＰＵ１０４−３のＡＤ変換部１５４において測定される。ここで、ダミーバッテリ１４２（図２参照）が共有電池室１４０に挿入されているとき、共有電池室１４０の温度検出端子Ｔは接地される。すなわち、図５（ａ）のグラフに示される抵抗値は０であり、図５（ｂ）に示されるＡＤ値は０である。
【００５９】
このように、ＡＤ変換部１５４においてＡＤ値を測定することにより、共有電池室１４０に挿入された電池が２次電池１２６であるかダミーバッテリ１４２であるかを識別することが可能となる。具体的には、図６（ａ）（ｂ）に示されるように、高温領域において、ＡＤ値が０であるとき、共有電池室１４０（図２参照）にはダミーバッテリ１４２が挿入されていると判断される。すると、ステップＳ６０７に進み、共有電池室１４０に挿入されたバッテリが、ダミーバッテリ１４２であると記憶された後、ステップＳ６０９では切替回路１３７によってスイッチが端子ｐ３から端子ｐ２に切り替えられる。同様に、ステップＳ６０５において、ＡＤ値によって２次電池１２６が挿入されていると判断されると、ステップＳ６０９に進み、アナログスイッチ１４４は切り替えられ、温度検出端子Ｔが充電回路１２７に接続される。
【００６０】
一方で、ステップＳ５０１において、充電端子であるＶＢＵＳ端子が接続されていないときには、充電エラーは発生しないため充電回路１２７（図２参照）で高温エラーを検出する必要がない。したがって、ステップＳ７０１において、スイッチ１４４は端子ｐ２から端子ｐ３へ切替えられてメインＣＰＵ１０４−３に接続される。これにより、温度検出端子Ｔからの出力電流は、メインＣＰＵ１０４−３に設けられたＡＤ変換部１５４に入力される。ステップＳ７０３において、上述のように、ＡＤ値を検知することで、共有電池室１４０（図２参照）に挿入されているものがダミーバッテリ１４２であるか否かが判断される。
【００６１】
ダミーバッテリ１４２であると判断されたとき、ステップＳ７０５に進み、ダミーバッテリ１４２であることを記憶する。ダミーバッテリ１４２ではなく２次電池１２６であると判断されたき、ステップＳ７０９に進み、ＡＤ値から２次電池１２６の温度が検知され、ステップＳ７１１においてダミーバッテリ１４２の検出は終了する。
【００６２】
なお、リチウムバッテリの安全上、高温では保護回路（図示せず）を作動させて、８０度以上では動作しない構成としても良い。また、充電エラー検出も６０度を超えたときのみ検知する構成であっても良い。さらに、低温時は化学変化が鈍ることにより、所望の出力を得られず動作停止する場合を考慮して、本閾値は、サーミスタ１３６の検出範囲やＡＤ変換部１５４における処理を調整することによって検出精度を上げることが望ましい。また、本実施形態では、サーミスタ１３６は負の温度係数を有するが、正の温度係数を有するサーミスタであっても良い。
【符号の説明】
【００６３】
１０４−３  メインＣＰＵ（制御手段）
１２６  ２次電池
１２７  バッテリ充電回路（充電手段）
１３６  サーミスタ
１３７  切替回路（接続切替手段）
１４２  ダミーバッテリ
１４３  電力供給コネクタ（接続コネクタ）
２００  バッテリ識別部（充電池識別装置）
Ｒ１、Ｒ２  プルアップ抵抗
Ｔ  温度検出端子
【図１】
2014093186.tif 000003
【図２】
2014093186.tif 000004
【図３】
2014093186.tif 000005
【図４】
2014093186.tif 000006
【図５】
2014093186.tif 000007
【図６】
2014093186.tif 000008